(57)【要約】  光ファイバコア突合せ装置は、突合せ孔１１を含む複数の突合せデバイスを有する突合せ板１と、光ファイバコア突合コネクタと、機械的ハンド３とを含み、光ファイバコア突合コネクタはワイヤ−ラインコネクタ２１及びコード−ラインコネクタ２２を含み、ワイヤ−ラインコネクタは、第１のスライドバー２１１、第１のワイヤ−ラインコアコネクタ２１２及び第２のワイヤ−ラインコアコネクタ２１３を含み、第１及び第２のワイヤ−ラインコアコネクタの入力端子及び出力端子は、共に接続ファイバにより接続され、コード−ラインコネクタは、第２のスライドバー２２１、第１のコード−ラインコアコネクタ２２２及び第２のコード−ラインコアコネクタ２２３を含み、第１及び第２のコード−ラインコネクタは接続ファイバにより接続され、機械的ハンドはコアコネクタを保持し、コアコネクタを駆動し動かすために用いられる。【選択図】図１
2016530559.tif 000002
【特許請求の範囲】
【請求項１】
光ファイバコアを突き合わせるための装置であって、
複数の突合せデバイスを有する突合せ板であって、前記複数の突合せデバイスの各々が前記突合せデバイスの中央に突合せ孔を含む、突合せ板と、
前記光ファイバコアを突き合わせるためのコネクタであって、前記光ファイバコアを突き合わせるための前記コネクタが、前記突合せ板上に固定され、互いに平行な複数のラインコネクタ及び互いに平行な複数のコードコネクタを含み、前記複数のラインコネクタの各々が、第１のスライドバー、第１のラインファイバコアコネクタ及び第２のラインファイバコアコネクタを含み、前記第１のラインファイバコアコネクタ及び前記第２のラインファイバコアコネクタが、共に前記第１のスライドバーに沿って摺動可能であり、前記第１のラインファイバコアコネクタの入力端及び出力端が接続光ファイバを介して互いに接続され、前記第２のラインファイバコアコネクタの入力端及び出力端が接続光ファイバを介して互いに接続され、前記複数のコードコネクタの各々が、第２のスライドバー、第１のコードファイバコアコネクタ及び第２のコードファイバコアコネクタを含み、前記第１のコードファイバコアコネクタ及び前記第２のコードファイバコアコネクタが、共に前記第２のスライドバーに沿って摺動可能であり、前記第１のコードファイバコアコネクタ及び前記第２のコードファイバコアコネクタが接続光ファイバを介して互いに接続される、前記光ファイバコアを突き合わせるためのコネクタと、
前記ファイバコアコネクタを把持し、前記ファイバコアコネクタを駆動して移動させるように構成されたマニピュレータと
を含む、光ファイバコアを突き合わせるための装置。
【請求項２】
前記複数の突合せデバイスの各々は、
前記突合せ孔の各々の周囲に分散した複数の円弧状孔であって、前記複数の円弧状孔の各々の２つの端部は前記突合せ孔から離れている、複数の円弧状孔と、
前記複数の円弧状孔の半径方向に沿ってかつ前記円弧状孔とは反対側に、前記突合せ孔の各々の内壁上に設けられた複数の凸部であって、前記複数の凸部の各々が、前記複数の円弧状孔のそれぞれのものに対応する、複数の凸部と
をさらに含む、請求項１に記載の光ファイバコアを突き合わせるための装置。
【請求項３】
前記複数の円弧状孔は前記突合せ孔の周囲に均等に分散されている、請求項２に記載の光ファイバコアを突き合わせるための装置。
【請求項４】
前記複数の円弧状孔の数は４である、請求項３に記載の光ファイバコアを突き合わせるための装置。
【請求項５】
前記接続光ファイバを囲むためのトラグチェーンをさらに含む、請求項１に記載の光ファイバコアを突き合わせるための装置。
【請求項６】
前記ファイバコアコネクタの各々は、
接続部と、
キャビティを有する固定部であって、前記キャビティが、前記固定部の左側から右側へ前記固定部を貫通し、２つの貫通孔が前記キャビティの底部に隣り合って設けられる、固定部と、
２つの光ファイバコア接続フランジであって、前記光ファイバコア接続フランジの各々の一端が前記貫通孔の１つに固定され、他端が外部光ファイバコアを固定するための第２の円筒部を含み、前記光ファイバコア接続フランジの少なくとも１つが段付き貫通孔を有する、光ファイバコア接続フランジと
を含む、請求項１に記載の光ファイバコアを突き合わせるための装置。
【請求項７】
前記接続部は上部及び下部を含み、前記キャビティの通過方向に直角な方向において、前記接続部の前記上部の断面積は前記接続部の前記下部の断面積より大きく、前記接続部の前記上部、前記接続部の前記下部及び前記固定部により溝形状が形成されている、請求項６に記載の光ファイバコアを突き合わせるための装置。
【請求項８】
前記マニピュレータは、
第１の変速歯車及び前記第１の変速歯車内に部分的に埋め込まれたプラグを含み、前記第１の変速歯車及び前記プラグの埋め込まれた部分はねじ構造を形成し、前記プラグは、前記ファイバコアコネクタを把持するために、前記プラグの下部に把持部を有する、請求項１に記載の光ファイバコアを突き合わせるための装置。
【請求項９】
前記マニピュレータは、
前記第１の変速歯車を固定するために、前記第１の変速歯車の上面及び下面上に設けられた２つの軸受をさらに含む、請求項８に記載の光ファイバコアを突き合わせるための装置。
【請求項１０】
前記マニピュレータは、
前記第１の変速歯車と係合する第２の変速歯車であって、横方向に回転すると、前記第２の変速歯車が、前記第１の変速歯車を駆動して、前記第２の変速歯車が横方向に回転する方向とは反対方向に、横方向に回転させる、第２の変速歯車と、
運動エネルギーを前記第２の変速歯車に伝達するために、前記第２の変速歯車に固定して接続された動力出力部と、
前記動力出力部を駆動するためのモータと
をさらに含む、請求項８に記載の光ファイバコアを突き合わせるための装置。
【発明の詳細な説明】
【関連出願の相互参照】
【０００１】
本出願は、２０１３年８月２日に中国国家知識産権局に出願された「光ファイバコア突合せ装置」という名称の中国特許出願第２０１３１０３３５０３９．４号に対する優先権を主張するものであり、その全体を参照により本明細書に援用する。
【技術分野】
【０００２】
本発明は、光ファイバ通信の分野に関し、特に、光ファイバコアを突き合わせるための装置に関する。
【背景技術】
【０００３】
電力送電系統の構築の急激な開発及び電力システムにおける機器の自動化の改善に伴い、電力光ファイバ通信ネットワークは、未曽有の発展を遂げている。
【０００４】
近年、光ファイバネットワークは、光ファイバ通信の基本を担うネットワークであり、手動で操作及び維持されている。つまり、光ファイバネットワークは、種々の光ファイバ間の突合せ及び交換を実現するために、現場でファイバジャンピングいう人為的操作を必要とする。しかしながら、地理的位置の分散、及び人為的再配置の複雑さが原因で、人為的操作は、非常に大きな作業負荷につながり、日常生活において時間がかかるので、光ファイバコア間の突合せ及び交換の実現は、人々が懸念する課題となっている。光ファイバコア用の自動突合せデバイスは、従来の光ファイバ通信ネットワーク装置においては実現されていない。
【発明の概要】
【０００５】
上述の問題に対処すべく、光ファイバコアの自動突合せを実現するために、本発明の実施形態に従って光ファイバコアを突き合わせる装置が提供される。
【０００６】
また、上述の問題に対処するために、以下の技術的解決法が提供される。
【０００７】
光ファイバコアを突き合わせるための装置が提供される。この装置は、
複数の突合せデバイスを有する突合せ板であって、複数の突合せデバイスの各々が突合せデバイスの中央に突合せ孔を含む、突合せ板と、
光ファイバコアを突き合わせるためのコネクタであって、該コネクタが、突合せ板上に固定され、互いに平行な複数のラインコネクタ及び互いに平行な複数のコードコネクタを含み、複数のラインコネクタの各々が、第１のスライドバー、第１のラインファイバコアコネクタ及び第２のファインファイバコアコネクタを含み、第１のラインファイバコアコネクタ及び第２のラインファイバコアコネクタが、共に第１のスライドバーに沿って摺動可能であり、第１のラインファイバコアコネクタの入力端及び出力端が接続光ファイバを介して互いに接続され、第２のラインファイバコアコネクタ入力端及び出力端が接続光ファイバを介して互いに接続され、複数のコードコネクタの各々が、第２のスライドバー、第１のコードファイバコアコネクタ及び第２のコードファイバコアコネクタを含み、第１のコードファイバコアコネクタ及び第２のコードファイバコアコネクタが、共に第２のスライドバーに沿って摺動可能であり、第１のコードファイバコアコネクタ及び第２のコードファイバコアコネクタが接続光ファイバを介して互いに接続されている、コネクタと、
ファイバコアコネクタを把持し、該ファイバコアコネクタを駆動して移動させるように構成されているマニピュレータと
を含む。
【０００８】
複数の突合せデバイスの各々は、
突合せ孔の各々の周囲に分散した複数の円弧状孔であって、複数の円弧状孔の各々の２つの端部が突合せ孔から離れている、複数の円弧状孔と、
複数の円弧状孔の半径方向に沿ってかつ円弧状孔とは反対側に、突合せ孔の各々の内壁上に設けられた複数の凸部であって、複数の凸部の各々が、複数の円弧状孔のそれぞれのものに対応している、複数の凸部と
をさらに含むことが好ましい。
【０００９】
複数の円弧状孔は突合せ孔の周囲に均等に分散されることが好ましい。
【００１０】
複数の円弧状孔の数は４であることが好ましい。
【００１１】
接続光ファイバは、トラグチェーンにより囲まれている。
【００１２】
ファイバコアコネクタの各々は、
接続部と、
キャビティを有する固定部であって、キャビティが、固定部の左側から右側へ固定部を貫通し、２つの貫通孔がキャビティの底部に隣り合って設けられている、固定部と、
２つの光ファイバコア接続フランジであって、該光ファイバコア接続フランジの各々の一端が貫通孔の１つに固定され、他端が外部光ファイバコアを固定するための第２の円筒部を含み、光ファイバコア接続フランジの少なくとも１つが段付き貫通孔を有する、光ファイバコア接続フランジと
を含むことが好ましい。
【００１３】
接続部は、上部及び下部を含み、キャビティの通過方向に直角な方向において、接続部の上部の断面積は接続部の下部の断面積より大きく、接続部の上部、接続部の下部及び固定部により溝形状が形成されることが好ましい。
【００１４】
マニピュレータは、第１の変速歯車及び第１の変速歯車内に部分的に埋め込まれたプラグを含み、第１の変速歯車及びプラグの埋め込まれた部分は、ねじ構造を形成し、プラグは、ファイバコアコネクタを把持するために、プラグの下部に把持部を有することが好ましい。
【００１５】
マニピュレータは、
第１の変速歯車を固定するために、第１の変速歯車の上面及び下面上に設けられた２つの軸受をさらに含むことが好ましい。
【００１６】
マニピュレータは、
第１の変速歯車と係合する第２の変速歯車であって、第２の変速歯車は、横方向に回転すると、第１の変速歯車を駆動して、第２の変速歯車が横方向に回転する方向とは反対方向に、横方向に回転させる、第２の変速歯車と、
運動エネルギーを第２の変速歯車に伝達するために、第２の変速歯車に固定して接続された動力出力部と、
動力出力部を駆動するためのモータと
をさらに含むことが好ましい。
【００１７】
従来技術と比較して、上述の技術的解決法は以下の利点を有する。
【００１８】
本発明の実施形態により提供される技術的解決法は、突合せ板と、光ファイバコアを突き合わせるためのコネクタと、マニピュレータとを含む。光ファイバコアを突き合わせるためのコネクタは、互いに平行な複数のラインコネクタ及び互いに平行な複数のコードコネクタを含み、複数のラインコネクタの各々は、第１のスライドバー、第１のラインファイバコアコネクタ及び第２のラインファイバコアコネクタを含み、第１のラインファイバコアコネクタ及び第２のラインファイバコアコネクタは、共に第１のスライドバーに沿って摺動可能であり、第１のラインファイバコアコネクタの入力端及び出力端は接続光ファイバを介して互いに接続され、第２のラインファイバコアコネクタの入力端及び出力端は接続光ファイバを介して互いに接続され、複数のコードコネクタの各々は、第２のスライドバー、第１のコードファイバコアコネクタ及び第２のコードファイバコアコネクタを含み、第１のコードファイバコアコネクタ及び第２のコードファイバコアコネクタは、共に第２のスライドバーに沿って摺動可能であり、第１のコードファイバコアコネクタ及び第２のコードファイバコアコネクタは接続光ファイバを介して互いに接続される。
【００１９】
特定の実施形態においては、外部ライン光ファイバコアの一端は、第１のラインファイバコアコネクタ（又は第２のラインファイバコアコネクタ）の入力端に入り、次に接続光ファイバを貫通し、第１のラインファイバコアコネクタ（又は第２のラインファイバコアコネクタ）の出力端から出る。コードコネクタの第１のコードファイバコアコネクタ及び第２のコードファイバコアコネクタは、マニピュレータにより制御されて、異なるラインファイバに接続された第１のラインファイバコアコネクタ（又は第２のラインファイバコアコネクタ）の出力端へ移動される。次に、コードコネクタの第１のコードファイバコアコネクタ及び第２のコードファイバコアコネクタは、異なるラインファイバに接続された第１のラインファイバコアコネクタ（又は第２のラインファイバコアコネクタ）の出力端に突き合わされ、従って、異なるラインファイバ及び突き合わされたコードコネクタと接続された第１のラインファイバコアコネクタ（又は第２のラインファイバコアコネクタ）を介して異なるライン間で光経路が形成される。光ファイバネットワークにおける異なるライン光ファイバに対する自動突合せが実現され、操作は単純であり、手動介入は大幅に低減し、大量の労力及び材料が節約され、作業効率が改善する。
【００２０】
実施形態又は従来技術の説明に用いられる図面を、以下に簡潔に説明して、本発明の実施形態による技術的解決法又は従来技術をより明確にする。以下の説明における図面は、本発明の幾つかの実施形態を例証するものにすぎないことは明らかであろう。当業者であれば、いかなる創造的労力もなしに、これら図面に基づいて他の図面を得ることができる。
【図面の簡単な説明】
【００２１】
【図１】本発明の一実施形態による、光ファイバコアを突き合わせるための装置の構造図である。
【図２】本発明の一実施形態による、光ファイバコアを突き合わせるための装置のラインコネクタの構造図である。
【図３】本発明の一実施形態による、光ファイバコアを突き合わせるための装置のコードコネクタの構造図である。
【図４】本発明の一実施形態による、光ファイバコアを突き合わせるための装置内の突合せ板が、２４＊２４の光ファイバコアマトリックス突合せ板である場合の、外部ライン光ファイバの分散を示す図である。
【図５】本発明の一実施形態による、光ファイバコアを突き合わせるための装置を用いて、外部ライン光ファイバＡ０１〜Ａ２４のうち任意の２つのライン光ファイバの突合を示す構造図である。
【図６】本発明の一実施形態による、光ファイバコアを突き合わせるための装置を用いて、外部ライン光ファイバＢ０１〜Ｂ２４のうち任意の２つのライン光ファイバの突合を示す構造図である。
【図７】本発明の一実施形態による、光ファイバコアを突き合わせるための装置を用いて、外部ライン光ファイバＡ０１〜Ａ２４のうち任意の１つのライン光ファイバと、外部ライン光ファイバＢ０１〜Ｂ２４のうち任意の１つのライン光ファイバとの突合を示す構造図である。
【図８】本発明の一実施形態による、光ファイバコアを突き合わせるための装置の突合せデバイスの構造図である。
【図９】本発明の一実施形態による、光ファイバコアを突き合わせるための装置のファイバコアコネクタの構造図である。
【図１０】本発明の一実施形態による、光ファイバコアを突き合わせるための装置のファイバコアコネクタの接続部の構造図である。
【図１１】本発明の一実施形態による、光ファイバコアを突き合わせるための装置のマニピュレータの構造図である。
【図１２】本発明の異なる実施形態による、光ファイバコアを突き合わせるための装置のマニピュレータの構造図である。
【図１３】本発明のさらに別の実施形態による、光ファイバコアを突き合わせるための装置のマニピュレータの構造図である。
【発明を実施するための形態】
【００２２】
本発明の具体的実施態様について、図面と関連して詳細に説明し、本発明の目的、特徴及び利点をより明らかにする。
【００２３】
以下の詳細な説明により、本発明が包括的に理解されるようにする。本発明は、以下の説明と異なる方法で実施することができ、当業者であれば本発明から逸脱せずに拡張することができる。本発明は、以下の実施形態に限定されない。
【００２４】
第１の実施形態
図１を参照すると、本発明の実施形態による、光ファイバコアを突き合わせるための装置が提供されている。この装置は、以下の構成要素を含む。
【００２５】
突合せ板１は複数の突合せデバイスを含む。突合せデバイスの各々は、その中央に突合せ孔１１を含む。
【００２６】
光ファイバコアを突き合わせるためのコネクタ２が、突合せ板１上に固定される。光ファイバコアを突き合わせるためのコネクタは、互いに平行な幾つかのラインコネクタ２１及び互いに平行な幾つかのコードコネクタ２２を含む。図２に示すように、ラインコネクタ２１の各々は、第１のスライドバー２１１、第１のラインファイバコアコネクタ２１２、及び第２のラインファイバコアコネクタ２１３を含む。第１のラインファイバコアコネクタ２１２及び第２のラインファイバコアコネクタ２１３は、共に第１のスライドバー２１１に沿って摺動することができる。第１のラインファイバコアコネクタ２１２の入力端及び出力端は、接続光ファイバを介して接続される。第２のラインファイバコアコネクタ２１３の入力端及び出力端は、接続光ファイバを介して接続される。図３に示すように、コードコネクタ２２の各々は、第２のスライドバー２２１、第１のコードファイバコアコネクタ２２２、及び第２のコードファイバコアコネクタ２２３を含む。第１のコードファイバコアコネクタ２２２及び第２のコードファイバコアコネクタ２２３は、共に第２のスライドバー２２１に沿って摺動することができる。第１のコードファイバコアコネクタ２２２及び第２のコードファイバコアコネクタ２２３は、接続光ファイバを介して接続される。
【００２７】
マニピュレータ３は、ファイバコアコネクタを把持し、ファイバコアコネクタを駆動して移動されるように構成される。
【００２８】
本発明の一実施形態によると、接続光ファイバは、トラグチェーン２３により囲まれ、接続光ファイバがトラグチェーン２３の内部空間内に固定されるようにすることが好ましい。これにより、光ファイバ間の干渉が回避される。
【００２９】
本発明の実施形態によるファイバコアコネクタは、コードコネクタ２２の第１のコードファイバコアコネクタ２２２及び第２のコードファイバコアコネクタ２２３であっても、又はラインコネクタ２１の第１のラインファイバコアコネクタ２１２及び第２のラインファイバコアコネクタ２１３であってもよく、本明細書に限定されないことに留意されたい。
【００３０】
図１に示すように、動作時、ラインコネクタ２１及びコードコネクタ２２は、第１のスライドバー２１１及び第２のスライドバー２２１の取り付け方向が互いに直角になるように、突合せ板１の両側上に取り付けられる。以下において、光ファイバコアを突き合わせるための装置の突合せ板１は、２４＊２４の突合せデバイスを有する光ファイバコア突合せ板であり、説明のための一例と考えるべきである。当業者であれば、本発明の実施形態による光ファイバコアを突き合わせるための装置は、２４＊２４の突合せデバイスを有する光ファイバコア突合せ板を含む突合せ装置に限定されず、異なる状況に応じて、別の数字つまり４８＊４８又は９６＊９６の突合せデバイスを有する光ファイバコア突合せ板を含む突合せ装置を含むことができることを理解できることに留意されたい。操作原理は基本的に同一であるため、実施形態においては繰り返さない。
【００３１】
各ラインコネクタは、２４＊２４の突合せデバイスを有する光ファイバコア突合せ板の突合せ孔のそれぞれの行に対応する。行及び列は、座標系の選択が絶対ではないので、絶対的なものではないことに留意されたい。元の「行」は、異なる見方をすれば「列」として見ることができる。従って、当業者であれば、本発明の実施形態によると、行及び列は、交換可能であることを理解されたい。各ラインコネクタが突合せ孔の行に対応するという場合は、説明のための一例として用いられる。例において、各ラインコネクタは、ラインコネクタに対応する行に沿ってのみ移動することができ、そのラインコネクタに対応する行の突合せ孔にのみ挿入することができる、つまり突合せ孔は複数の行に分割される。
【００３２】
各ラインコネクタは、第１のスライドバー、共に第１のスライドバーに沿って摺動できる第１のラインファイバコアコネクタ及び第２のラインファイバコアコネクタを含む。第１のラインファイバコアコネクタの入力端及び出力端は、接続光ファイバを介して接続される。第２のラインファイバコアコネクタの入力端及び出力端は、接続光ファイバを介して接続される。しかしながら、第１のラインファイバコアコネクタは、第２のラインファイバコアコネクタには接続されない。動作するとき、ラインファイバコアコネクタの各々は、外部ライン光ファイバコアの端部を固定し、これにより各ラインコネクタは、２つの外部ライン光ファイバコアを固定できる。従って、各ラインコネクタは、２つの外部ライン光ファイバに対応できる。従って、本発明の実施形態による光ファイバコアを突き合わせるための装置が２４＊２４の突合せデバイスを有する光ファイバコア突合せ板を含む場合、２４のラインコネクタがあり、最大で４８の外部ライン光ファイバを接続することができる。図４に示すように、４８の外部ライン光ファイバは、Ａ０１〜Ａ２４及びＢ０１〜Ｂ２４として突合せ板の両側に設けられる。一般的に、Ａ０１〜Ａ２４はライン光ファイバの奇数行であり、Ｂ０１〜Ｂ２４はライン光ファイバの偶数行であるが、本明細書に限定されない。
【００３３】
本発明の実施形態による光ファイバコアを突き合わせるための装置における複数のコードコネクタ（Ｃ０１〜Ｃｎ、ここでｎは２より小さくない正の整数）は、突合せ板の他の側上に設けられ、コードコネクタにおける第２のスライドバーの取り付け方向は、第１のスライドバーの取り付け方向と直角である。第１のコードファイバコアコネクタ及び第２のコードファイバコアコネクタは、接続光ファイバを介して接続される。従って、コードコネクタにおける第１のコードファイバコアコネクタ及び第２のコードファイバコアコネクタは、マニピュレータを制御することにより駆動して、異なるライン光ファイバコアを固定するラインファイバコアコネクタにそれぞれ接続し、異なるライン光ファイバコアを固定するラインファイバコアコネクタと異なるライン光ファイバコアを固定するラインファイバコアコネクタに接続されたコードコネクタとの間に光経路を形成することができる。これにより、異なるライン光ファイバ間のデータ情報の伝送及び交換が行えるようになる。
【００３４】
説明のために特定の例を用いる。例えば、図５は、外部ライン光ファイバＡｉ及びＡｊ間の交換をどのように実現するかを示す。コードコネクタＣ０１の第１のコードファイバコアコネクタは、マニピュレータにより、外部ライン光ファイバＡｉに接続されたラインコネクタの第１のラインファイバコアコネクタが位置する、突合せ板上の位置まで移動され、従って、第１のコードファイバコアコネクタは、外部ライン光ファイバＡｉコアの一端を固定する第１のラインファイバコアコネクタに突き合わされる。一方、コードコネクタＣ０１の第２のコードファイバコアコネクタは、マニピュレータにより、外部ライン光ファイバＡｊに接続されたラインコネクタの第１のラインファイバコアコネクタが位置する、突合せ板上の位置まで移動され、従って、第２のコードファイバコアコネクタは、外部ライン光ファイバＡｊコアの一端を固定する第１のラインファイバコアコネクタに突き合わされる。コードコネクタＣ０１の第１のコードファイバコアコネクタ及び第２のコードファイバコネクタは、接続光ファイバを介して接続される。これにより、外部ライン光ファイバＡｉ、外部ライン光ファイバＡｉコアの一端を固定する第１のラインファイバコアコネクタ、コードコネクタＣ０１の第１のコードファイバコアコネクタ、コードコネクタＣ０１の第２のコードファイバコアコネクタ、外部ライン光ファイバＡｊコアの一端を固定する第１のラインファイバコアコネクタ及び外部ライン光ファイバＡｊの間に光経路が形成され、外部ライン光ファイバＡｉと外部ライン光ファイバＡｊとの間の突合せ及びデータ情報の交換が達成される。ここで、ｉ及びｊの両方とも、１から２４までの間であり、かつｉはｊと等しくない、任意の整数である。
【００３５】
同様に、図６は、外部ライン光ファイバＢｉ及びＢｊ間の交換をどのように実現するかを示す。外部ライン光ファイバＢｉは、突合せ板の突合せ孔のｉ番目の行に取り付けられたラインコネクタに対応し、ラインコネクタの第２のラインファイバコアコネクタの入力端に接続される。外部ライン光ファイバＢｊは、突合せ板の突合せ孔のｊ番目の行に取り付けられたラインコネクタに対応し、ラインコネクタの第２のラインファイバコアコネクタの入力端に接続される。従って、コードコネクタＣｎの第１のコードファイバコアコネクタは、マニピュレータにより、外部ライン光ファイバＢｉに接続されたラインコネクタの第２のラインファイバコアコネクタが位置する、突合せ板の位置まで移動される。これにより、第１のコードファイバコアコネクタは、外部ライン光ファイバＢｉコアの一端を固定する第２のラインファイバコアコネクタに突き合わされる。一方、コードコネクタＣｎの第２のコードファイバコアコネクタは、外部ライン光ファイバＢｊに接続されたラインコネクタの第２のラインファイバコアコネクタが位置する、突合せ板の位置まで移動される。これにより、第２のコードファイバコアコネクタは、外部ライン光ファイバＢｊコアの一端を固定する第２のラインファイバコアコネクタに突き合わされる。コードコネクタＣｎの第１のコードファイバコアコネクタ及び第２のコードファイバコアコネクタは、接続光ファイバを介して接続される。これにより、外部ライン光ファイバＢｉ、外部ライン光ファイバＢｉコアの一端を固定する第２のラインファイバコアコネクタ、コードコネクタＣｎの第１のコードファイバコアコネクタ、コードコネクタＣｎの第２のコードファイバコアコネクタ、外部ライン光ファイバＢｊコアの一端を固定する第２のラインファイバコアコネクタ及び外部ライン光ファイバＢｊの間に光経路が形成され、外部ライン光ファイバＢｉと外部ライン光ファイバＢｊとの間の突合せ及びデータ情報の交換が達成される。ここで、ｉ及びｊの両方とも、１から２４までの間であり、かつｉはｊと等しくない、任意の整数である。
【００３６】
本発明の実施形態による光ファイバコアを突き合わせるための装置において、外部ライン光ファイバを固定する第１のラインファイバコアコネクタ又は第２のラインファイバコアコネクタは、マニピュレータにより把持されて、突合せ板上を移動する。また、第１のコードファイバコアコネクタ及び第２のコードファイバコアコネクタは、マニピュレータにより把持されて、突合せ板上を移動する。従って、コードコネクタは、それぞれ２つの異なる外部ライン光ファイバコアを固定する、第１のラインファイバコアコネクタ又は第２のラインファイバコアコネクタと突き合わされ、２つの外部ライン光ファイバコアの自動突合せが実現される。操作は単純であり、手動介入は大幅に低減し、大量の労力及び材料が節約され、作業効率が改善する。
【００３７】
さらに、本発明の実施形態による光ファイバコアを突き合わせるための装置では、コードコネクタの第２のスライドバーの延長方向に直角の方向において、１つのコードコネクタにより、複数の異なるライン光ファイバの任意の２つの間の突合せが実現され、従って、コード光ファイバの使用が大幅に低減し、費用が減少する。
【００３８】
さらに、図７は、外部ライン光ファイバＡｉ及びＢｊ間の交換をどのように実現するかを示す。外部ライン光ファイバＡｉは、突合せ板の突合せ孔のｉ番目の行に取り付けられたラインコネクタに対応し、ラインコネクタの第１のラインファイバコアコネクタの入力端に接続される。外部ライン光ファイバＢｊは、突合せ板の突合せ孔のｊ番目の行に取り付けられたラインコネクタに対応し、ラインコネクタの第２のラインファイバコアコネクタの入力端に接続される。従って、コードコネクタＣｍ（ｍは、１より大きくかつｎより小さい、正の整数）の第１のコードファイバコアコネクタは、マニピュレータを制御することにより、列方向に沿って移動し、外部ライン光ファイバＡｉコアの一端を固定する第１のラインファイバコアコネクタは、マニピュレータを制御することにより、行方向に沿って移動する。従って、コードコネクタＣｍの第１のコードファイバコアコネクタは、外部ライン光ファイバＡｉコアの一端を固定する第１のラインファイバコアコネクタに突き合わされる。一方、コードコネクタＣｋ（ｋは、１より大きく、ｎより小さく、かつｍと等しくない、正の整数）の第２のコードファイバコアコネクタは、マニピュレータを制御することにより、列方向に沿って移動し、外部ライン光ファイバＢｊコアの一端を固定する第２のラインファイバコアコネクタは、行方向に移動する。従って、コードコネクタＣｋの第２のコードファイバコアコネクタは、外部ライン光ファイバＢｊコアの一端を固定する第２のラインファイバコアコネクタに突き合わされる。次に、コードコネクタＣｍの第２のコードファイバコアコネクタ及びコードコネクタＣｋの第１のコードファイバコアコネクタは、予め、突合せ板のテールファイバを介して接続される。これにより、外部ライン光ファイバＡｉ、外部ライン光ファイバＡｉコアの一端を固定する第１のラインファイバコアコネクタ、コードコネクタＣｍの第１のコードファイバコアコネクタ、コードコネクタＣｍの第２のコードファイバコアコネクタ、コードコネクタＣｍの第２のコードファイバコアコネクタとコードコネクタＣｋの第１のコードファイバコアコネクタとを接続するテールファイバ、コードコネクタＣｋの第１のコードファイバコアコネクタ、コードコネクタＣｋの第２のコードファイバコアコネクタ、外部ライン光ファイバＢｊコアの一端を固定する第２のラインファイバコアコネクタ、及び外部ライン光ファイバＢｊの間に光経路が形成され、外部ライン光ファイバＡｉと外部ライン光ファイバＢｊとの間の突合せ及びデータ情報の交換が達成される。ここで、ｉ及びｊの両方とも、１から２４までであり、かつｉはｊと等しくない、任意の整数である。
【００３９】
結論として、本発明の実施形態による光ファイバコアを突き合わせるための装置では、コードコネクタの第２のスライドバーの延長方向に直角な方向において、１つのコードコネクタにより、複数の異なるライン光ファイバの任意の２つ（Ａｉ及びＡｊ、又はＢｉ及びＢｊ）間の突合せが実現され、従って、コード光ファイバの使用が大幅に低減し、費用が減少する。さらに、本発明の実施形態による光ファイバコアを突き合わせるためのコネクタが、２４のコードコネクタを含む場合、Ａ０１〜Ａ２４に恣意的に分割されたライン光ファイバの１２のグループ間の突合せと、Ｂ０１〜Ｂ２４に恣意的に分割されたライン光ファイバの１２のグループ間の自動突合せを達成することができる。
【００４０】
また、突合せ板上の２４のコードコネクタのＣ０１〜Ｃ１２及びＣ１３〜Ｃ２４が、それぞれテールファイバを介して接続される場合、外部ライン光ファイバＡ０１〜Ａ２４及び外部ライン光ファイバＢ０１〜Ｂ２４からなる２４のグループの外部ライン光ファイバの自動突合せを実現することができる、つまり、接続された全ての外部ライン光ファイバの自動完全突合せを実現することができる。突き合わせる２つのコードコネクタのうち１つはＣ０１〜Ｃ１２が配置された領域に位置し、他の１つはＣ１３〜Ｃ２４が配置された領域に位置している限り、Ｃ０１〜Ｃ１２は厳密にＣ１３〜Ｃ２４に対応する必要はないことに留意されたい。突き合わせる２つの外部ライン光ファイバのうち１つが外部ライン光ファイバＡ０１〜Ａ２４から選択され、他の１つが外部ライン光ファイバＢ０１〜Ｂ２４から選択される限り、Ａ０１〜Ａ２４もＢ０１〜Ｂ２４に厳密に対応する必要がない。また、本発明の実施形態によると、自動完全交換を行う際、つまり、外部ライン光ファイバＡ０１〜Ａ２４と外部ライン光ファイバＢ０１〜Ｂ２４とからなる２４グループの外部ライン光ファイバの自動突合せを実現する際、外部ライン光ファイバＡｉと外部ライン光ファイバＢｉとの間の信号干渉を回避するために、外部ライン光ファイバＡ０１〜Ａ２４に接続された第１のラインファイバコアコネクタの各々は、外部ライン光ファイバＡ０１〜Ａ２４の近くの、突合せ板の側部の領域の半分だけで移動することができ、外部ライン光ファイバＢ０１〜Ｂ２４に接続された第２のラインファイバコアコネクタの各々は、外部ライン光ファイバＢ０１〜Ｂ２４の近くの、突合せ板の側部の領域の半分だけで移動することができる。
【００４１】
結論として、本発明の実施形態による光ファイバコアを突き合わせるための装置において、光ファイバネットワークにおける異なるライン光ファイバ間の自動突合せを実現することができ、光ファイバネットワークにおける異なるライン光ファイバ間の自動完全突合せも実現することができる。操作は単純であり、大量の労力及び材料が節約され、作業効率が改善する。
【００４２】
第２の実施形態
本発明の実施形態により提供される光ファイバコアを突き合わせるためのコネクタの基本構造は、第１の実施形態の基本構造と近似している。図８に示すように、相違点は、突合せデバイスが、突合せ孔１１の各々の周囲に分散した複数の円弧状孔１２であって、その各々の２つの端部が突合せ孔１１から離れている円弧状孔１２と、円弧状孔１２の半径方向に沿って、円弧状孔１２とは反対側に、突合せ孔１１の各々の内壁上に設けられた複数の凸部１３とをさらに含むという点にある。この凸部１３の各々は、複数の円弧状孔１２のそれぞれに対応する。
【００４３】
円弧状孔１２は、突合せ孔１１の各々の周囲に均等に分散されることが好ましく、円弧状孔１２の数は４であることがより好ましい。このことは限定されるものではない。
【００４４】
突合せ孔に挿入されるラインファイバコアコネクタの部分と、突合せ孔に挿入されるコードファイバコアコネクタの部分とは、突合せ孔と同一の直径を有する。従って、本発明の実施形態による技術的解決法において、ラインファイバコアコネクタを突合せ孔に挿入し、コードファイバコアコネクタを突合せ孔に挿入すると、凸部は、円弧状孔１２、突合せ孔に挿入されたラインファイバコアコネクタ及びコードファイバコアコネクタの半径方向に沿ってへこみ、凸部と突合せ孔に挿入された任意の部分との間の接触圧を増大させる。従って、突合せ孔を介して光信号を交換する際に、ラインファイバコアコネクタとコードファイバコアコネクタとの間の安定性が改善される。
【００４５】
本開示の実施形態による突合せ板は、主として、光ファイバ通信ネットワークにおける光ファイバコアの突合せのために提案され、ステンレス鋼、アルミニウム合金又はガラス等の、頑丈で耐久性がある材料で製造することができ、処理の難しさは考慮に入れている。さらに、異なる要件に対して、様々な量の突合せ孔を有する突合せ板を、特定の実装における実際の状況に基づいて、カスタマイズすることができる。
【００４６】
第３の実施形態
本発明の実施形態により提供される光ファイバコアを突き合わせるための装置の基本構造は、第１の実施形態の基本構造と近似している。図９に示すように、相違点は、ファイバコアコネクタが、接続部９１と、固定部９２（キャビティ９２１が固定部９２内に設けられ、固定部９２の左側から右側へ固定部９２を貫通し、２つの貫通孔９２２がキャビティ９２１の底部に隣り合って設けられ、貫通孔９２２はファイバコアコネクタから露出している）と、２つの光ファイバコア接続フランジ９３（光ファイバコア接続フランジ９３の各々の一端は貫通孔９２２内に固定され、他端には外部光ファイバコアを固定するための第２の円筒部９３３が設けられ、少なくとも１つの光ファイバコア接続フランジ９３には段付き孔９３１が内部に設けられる）とを含む点にある。具体的には、光ファイバコア接続フランジの各々は、第１の円筒部９３２及び第２の円筒部９３３を含む。第１の円筒部９３２は貫通孔９２２内に固定され、第１の円筒部９３２の直径は、貫通孔９２２の直径と同一であり、かつ第２の円筒部９３３の直径より大きい。第１の円筒部９３２及び第２の円筒部９３３は、一体に製造することができ、又は別個に製造して、その後組み合わせることもできる。このことは限定されるものではない。
【００４７】
本発明の実施形態によるファイバコアコネクタは、コードコネクタの第１のコードファイバコアコネクタ若しくは第２のコードファイバコアコネクタであっても、又はラインコネクタの第１のラインファイバコアコネクタ若しくは第２のラインファイバコアコネクタであってもよく、このことは限定されるものではないことに留意されたい。特定の実施態様において、接続光ファイバのコアは、トラグチェーン３を通り、ファイバコアコネクタの側部から貫通キャビティ９２１に入り、接続フランジ９３の第１の円筒部９３２に対応する段付き孔９３１の部分を通って接続フランジ９３に挿入され、接続フランジ９３の第２の円筒部９３３に対応する段付き孔９３１の別の部分から出る。第２の円筒部９３３は、接続光ファイバのファイバコアを固定するように構成される。突合せの際、ファイバコアコネクタは下方に移動し、接続フランジ９３の第２の円筒部９３３は突合せ孔に挿入されるので、コードファイバコアコネクタ（つまり、第１のコードファイバコアコネクタ又は第２のコードファイバコアコネクタ）の第２の円筒部９３３により固定された光ファイバコアは、ラインファイバコアコネクタ（つまり、第１のラインファイバコアコネクタ又は第２のラインファイバコアコネクタ）の第２の円筒部９３３により固定された光ファイバコアに突き合わされる。
【００４８】
当業者であれば、本発明の実施形態によると、キャビティ９２１のサイズは、実際の要件に基づいて調整できることを理解できるはずである。さらに、貫通孔９２２の形状は、円筒形としてもよく、他の実施形態に従った他の形状としてもよい。このことは限定されるものではない。
【００４９】
第４の実施形態
第２の実施形態に基づき、図１０に示すように、外部デバイスにファイバコアコネクタの接続部９１をより良く把持させ、ファイバコアコネクタを駆動させて移動させるために、本発明の実施形態によるファイバコアコネクタの接続部９１は、上部及び下部を含む。キャビティ９２１の通過方向に直角の方向において、接続部９１の上部の断面積は、接続部９１の下部の断面積よりも大きく、従って、接続部９１の上部、接続部９１の下部、及び固定部９２により溝形状が形成される。従って、外部デバイスは、接続部９１の下部を介して形成された溝を用いて、好適にファイバコアコネクタを把持して上下に動かすことができる。
【００５０】
第５の実施形態
本発明の実施形態により提供される光ファイバコアを突き合わせるための装置の基本構造は、第１の実施形態の基本構造と近似している。図１１に示すように、相違点は、マニピュレータ３が、第１の変速歯車３１０と、第１の変速歯車と共心でかつ第１の変速歯車内に部分的に埋め込まれたプラグ３２０とを含む点にある。第１の変速歯車３１０の結合部には、内ねじが設けられて、プラグ３２０と結合し、第１の変速歯車３１０の内ねじに合致する外ねじが、プラグ３２０の対応する部分内に設けられる、つまり、プラグ３２０の上部がねじ構造を形成するという点である。第１の変速歯車３１０とプラグ３２０は、互いに協働してねじ構造を形成する。把持部３２１は、プラグ３２０の下部内に設けられる。把持部３２１は、ファイバコアコネクタを把持するように構成される。当業者であれば、本実施形態において、ねじを介する第１の変速歯車とプラグ３２０との間の接続は、複数の接続モードのうちの好ましいモードに過ぎず、第１の変速歯車の横方向回転が、プラグ３２０を上下に動かすことができる限り、このことは限定されない。横方向に回転すると、第１の変速歯車３１０は、ねじ接続を介してプラグ３２０を駆動して上下に動かす、つまりプラグ３２０は第１の変速歯車３１０に対して変位し、ファイバコアコネクタを把持して上下に動かし、ファイバコアコネクタを突合せ板の突合せ孔に挿入する、又はファイバコアコネクタを突合せ孔から引き抜く。
【００５１】
第６の実施形態
第４の実施形態に基づきプラグ３２０をより良く制御して上下に移動させるために、第１の変速歯車３１０の位置を変更する必要はない、つまり、第１の変速歯車３１０の位置が比較的固定されている場合にのみ、プラグ３２０が駆動されて、第１の変速歯車３１０とプラグ３２０のねじ結合構造を介して相対的に上下に移動されることができる。この点に鑑み、図１２に示すように、本発明の実施形態による光ファイバコアを突き合わせるための装置において、マニピュレータ３は、第１の変速歯車３１０上面及び底面上に設けられ、第１の変速歯車３１０を固定するように構成された２つの軸受３３０をさらに含む。外部駆動されて横方向に回転すると、第１の変速歯車３１０は、第１の変速歯車３１０を固定するように構成された２つの軸受３３０が固定されているため、元の位置において第１の変速歯車３１０の中心の周りを横方向にしか回転できない。一方、第１の変速歯車３１０とプラグ３２０はねじを介して接続されているので、第１の変速歯車３１０が横方向に回転すると、プラグ３２０は、ねじ構造の機能により、突合せ孔に対して上下にしか動くことができない。従って、マニピュレータ３がファイバコアコネクタを上下に把持することだけが保証される。次いで、外部駆動デバイスは、マニピュレータ３及びファイバコアプラグを駆動して、第１のスライドバー又は第２のスライドバーに対して平行の方向に、第１のスライドバー又は第２のスライドバーに沿って移動させる。
【００５２】
当業者であれば、本発明の実施形態によると、第１の変速歯車３１０を固定するように構成された軸受３３０が好ましいが、第１の変速歯車３１０を固定することができ、第１の変速歯車３１０の横方向の回転に影響がない限り、これに限定されないことを理解すべきである。
【００５３】
第７の実施形態
上述の実施形態に基づき、図１３に示すように、本発明の実施形態による光ファイバコアを突き合わせるための装置において、マニピュレータ３は、第１の変速歯車３１０を駆動して横方向に回転させるように構成された駆動部３５をさらに含む。駆動部３５は、モータ３５１と、第２の変速歯車３５２と、動力出力部３５３とを含む。第２の変速歯車３５２は、第１の変速歯車３１０に係合し、モータ３５１の動力出力部３５３に固定して接続されるので、モータ３５１は、第２の変速歯車３５２を駆動して横方向に回転させ、次に第１の変速歯車３１０を駆動して横方向に回転させることができる。本開示の実施形態によるモータ３５１はステップモータであることが好ましい。特定の操作において、モータの自動回転が動力出力部３５３を介して第２の変速歯車３５２に伝えられ、これにより、第２の変速歯車３５３がモータにより駆動されて横方向に回転する。第２の変速歯車３５２は第１の変速歯車３１０と係合するので、第１の変速歯車３１０は、第２の変速歯車３５２が横方向に回転すると、第２の変速歯車３５２の回転方向とは反対の方向に、横方向に回転する。第１の変速歯車３１０とプラグ３２０は、ねじ構造を介して接続しているので、第１の変速歯車３１０が横方向に回転すると、プラグ３２０は上下に移動する。従って、ファイバコアコネクタを把持する接続部は、プラグ・アンド・プル・モードで、ファイバコアコネクタを駆動して、突合せ孔内で移動させる。
【００５４】
本発明の実施形態によると、把持部３２１は、延性材料で作製されるので、把持部３２１が、阻止部の役割をする接続部の上部に向かって下向きに移動すると、把持部３２１の２つの側壁は、２つの側壁が位置する平面に直角の方向に沿って２つの側に向かって傾斜する。次いで、把持部３２１は、接続部の上部を横切って接続部の下部に向かって移動する。接続部の下部の断面積は、接続部の上部の断面積より小さいので、接続部の上部を横断した把持部３２１は、接続部の上部と接続部の下部との間に形成された溝に固定され、接続部を把持する。
【００５５】
結論として、本発明の実施形態による光ファイバコアを突き合わせるための装置において、コードコネクタの第１のコードファイバコアコネクタ及びコードコネクタの第２のコードファイバコアコネクタは、マニピュレータにより把持されて、異なるラインファイバコアに接続された第１のラインファイバコアコネクタ（又は第２のラインファイバコアコネクタ）の出力端へ動かされ、次に、コードコネクタの第１のコードファイバコアコネクタ及び第２のコードファイバコアコネクタは、異なるラインファイバコアに接続された第１のラインファイバコアコネクタ（又は第２のラインファイバコアコネクタ）の出力端に突き合わされる。これにより、異なるラインファイバコア及び突合したコードコネクタに接続された第１のラインファイバコアコネクタ（又は第２のラインファイバコアコネクタ）に基づいて、異なるライン間に光経路が形成される。光ファイバネットワークにおける異なるライン光ファイバに対する自動突合せが実現され、操作は単純であり、手動介入は大幅に低減し、大量の労力及び材料が節約され、作業効率は改善する。
【００５６】
本発明の実施形態を、漸進的に説明したが、各々の実施形態は、他の実施形態との相違に焦点を当てており、同一又は類似の部品については、他の実施形態を参照することができる。
【００５７】
本発明の実施形態の上記の説明は、当業者が本発明を実施又は使用することを可能にするものである。当業者には、実施形態に対する各種修正が明らかであり、本発明に定められる一般的原理は、本開示の精神及び範囲を逸脱することなく、他の実施形態においても実装できる。従って、本発明は、本開示に示される実施形態に限定されず、本発明における原理及び新規な特徴と一致する最も広い範囲に従うものである。
【図１】
2016530559.tif 000003
【図２】
2016530559.tif 000004
【図３】
2016530559.tif 000005
【図４】
2016530559.tif 000006
【図５】
2016530559.tif 000007
【図６】
2016530559.tif 000008
【図７】
2016530559.tif 000009
【図８】
2016530559.tif 000010
【図９】
2016530559.tif 000011
【図１０】
2016530559.tif 000012
【図１１】
2016530559.tif 000013
【図１２】
2016530559.tif 000014
【図１３】
2016530559.tif 000015
【国際調査報告】
2016530559.tif 000016
2016530559.tif 000017
2016530559.tif 000018
2016530559.tif 000019
2016530559.tif 000020
2016530559.tif 000021